(57)【要約】【課題】複数個の電池を一括収納する電池収納パックにおいて、成型性が良好で、かつ、電池収納時に変形することのない収納部により電池を安定に保持する。【解決手段】一面が開口し、電池を収納する収納部が膨出形成された皿状の収納ケースと、この収納ケースの開口周縁部に貼着されてこの開口部を閉塞する台紙とからなる電池収納パックにおいて、前記電池の端面に対向する前記収納部側面には、電池と電池とを区画する位置に、前記側面から前記収納部の内方に向かい前記電池の長手方向に突出し、前記電池の端面および側周面が当接したときに変形してこれを保持する保持部が形成されたもの。【選択図】　　　図２
2004103472.tif 000002
【特許請求の範囲】
【請求項１】
一面が開口し、電池を収納する収納部が膨出形成された皿状の収納ケースと、この収納ケースの開口周縁部に貼着されてこの開口部を閉塞する台紙とからなる電池収納パックにおいて、前記電池の端面に対向する前記収納部側面には、電池と電池とを区画する位置に、前記側面から前記収納部の内方に向かい前記電池の長手方向に突出し、前記電池の端面および側周面が当接したときに変形してこれを保持する保持部が形成されていることを特徴とする電池収納パック。
【請求項２】
前記電池保持部が前記収納ケース内方に膨出する湾曲面を有している請求項１記載の電池収納パック。
【請求項３】
前記収納ケースの前記開口周縁部では、前記電池保持部の端部と前記収納部の側面との間に、前記電池収納時に前記収納部側面の変形を防止するための補強部が形成されている請求項１または２記載の電池収納パック。
【発明の詳細な説明】
【０００１】
【発明の属する技術分野】
本発明は電池収納パックに関し、さらに詳しくは、例えば複数本の円筒型電池の収納後の回転などを防止し、安定に保持できる収納パックに関する。
【０００２】
【従来の技術】
従来、円筒型の物品、例えば円筒型電池を１個または複数個一組として販売するためのパッケージとして、電池収納パックいわゆるブリスタパックが一般的に使用されている。このブリスタパックは、電池を収納する機能に加えて、販売を目的とする陳列、展示などの機能を持たせるために、例えば、合成樹脂製の電池収納用透明収納体と、この透明収納体の収納部に電池を収納した後開口を閉塞するための台紙から構成される。
【０００３】
このブリスタパックは、開封時に収納されている電池が脱落することを防止するために、以下のように個々の電池を保持する電池保持手段が設けられている（例えば、特許文献１参照）。
すなわち、図５に示すように、ブリスタパック１は電池２を収納する凹部３ａが膨出形成された収納部３と、この凹部３ａの周縁部３ｂに接着されてこの凹部３ａの開口を閉塞する台紙４とから構成される。
【０００４】
凹部３ａの開口部近傍には、電池２の長手方向に沿って、内方に突出する電池保持部すなわち突起３ｃが２箇所形成されている。図６はこの突起３ｃ付近の断面を示し、図中上下の突起３ｃの間の距離Ｄ２が電池２の外径Ｄ１よりも小さくなっているため、電池２を収納する際は、この突起３ｃを外方に拡開変形させながら電池２を収納部３内に押し込むことになり、収納後は元の位置に復帰した突起３ｃにより電池２が収納部３の凹部３ａの湾曲面に押し付けられて固定される。
【０００５】
【特許文献１】
特開２０００−２８１１２９号公報
【０００６】
【発明が解決しようとする課題】
しかしながら、上記のような構成のブリスタパックにおいては、以下に述べるような問題がある。すなわち、収納部３は前述したように、例えばポリエチレンテレフタレート（ＰＥＴ）などのフィルムを金型を用いて熱成形して製造されるが、その場合、収納部３の凹部３ａに内方に向かって突出する突起３ｃ部分（いわゆるアンダーカット部分）の離型性が悪いため、この収納部３の成型不良が起こりやすい。
【０００７】
さらに、この収納部３は電池の長手方向の変形に弱いため、例えば、複数の電池を一括して収納できるように凹部３ａを作製すると、とくに中央付近のフィルムの変形によりそこに収納されている電池の保持力が低下してしまい、その結果、台紙との接着箇所に浮きが生じたり、電池が回転して、電池表面に印刷された製造者名や電池の種類などが視認できなくなったり、あるいは、外観を著しく損なうという問題が生じる。
【０００８】
本発明は上記の問題を解決し、成型が容易であり、しかも、安定した電池保持力を有する電池収納パックを提供することを目的とする。
【０００９】
【課題を解決するための手段】
上記の目的を達成するために、本発明によれば、一面が開口し、電池を収納する収納部が膨出形成された皿状の収納ケースと、この収納ケースの開口周縁部に貼着されてこの開口部を閉塞する台紙とからなる電池収納パックにおいて、前記電池の端面に対向する前記収納部側面には、電池と電池とを区画する位置に、前記側面から前記収納部の内方に向かい前記電池の長手方向に突出し、前記電池の端面および側周面が当接したときに変形してこれを保持する保持部が形成されているものが提供される。
【００１０】
上記の構成において、前記電池保持部は前記収納ケース内方に膨出する湾曲面を有していることが好ましく、また、前記収納ケースの前記開口周縁部では、前記電池保持部の端部と前記収納部の側面との間に、前記電池収納時に前記収納部側面の変形を防止するための補強部が形成されていることが好ましい。
【００１１】
【発明の実施の形態】
以下、図１〜図４を参照しながら本発明の一実施形態として、円筒型電池収納パックについて説明する。
図１および図２に示すように、電池収納パック１１は、透明な収納ケース１２とこの収納ケース１２の開口を閉塞するための台紙１３とから構成される。収納ケース１２は、電池１４を収納する収納部１２ａと、この収納部１２ａの開口１２ｂの周縁全周に亘って形成されたつば状の接着部１２ｃとから構成される。通常この収納ケース１２は、例えば、ＰＥＴのような熱可塑性樹脂を成型して得ることができる。
【００１２】
図２はこの収納ケース１２を紙面において上下方向に裏返した状態を示したものである。収納ケース１２の収納部１２ａは、仮想線で示したように、複数の電池（ここでは４個）１４を一括して収納可能な皿状に形成されている。収納部１２ａの全体の底面１２ｄは平坦であってもよいが、図１および図２に示すように収納される個々の電池１４の側周面に対応する形状すなわち円弧状の湾曲面１２ｅが連続する、いわば、かまぼこ形状とすることも可能である。その場合には、電池１４の保持力がさらに向上するという点で有利である。
【００１３】
収納部１２の両端面１２ｆにおいて、２個の電池１４を区画する位置すなわち隣接する湾曲面１２ｅの間、ならびに、収納部１２の両端部には、電池１４の半径方向すなわち電池１４の端面１４ａと平行な方向に、収納部１２ａ内に突出する電池保持部１２ｇが形成されている。図２の拡大部からも明らかなように、この電池保持部１２ｇはその中央部分が最も突出するような湾曲面となるように形成されることが好ましい。これは以下のような理由による。
【００１４】
すなわち、収納部１２ａに電池１４を収納した場合、図２の拡大部に示すように、電池保持部１２ｇの湾曲面のうち図中斜線で示した領域Ａに電池１４の端面１４ａおよび側周面１４ｂの一部が当接し、収納ケースと電池の剛性の差により領域Ａが押圧されて変形し、図２の斜線で示したような凹部が形成される。
この変形領域Ａを詳細に説明すると、電池１４の端面１４ａに押圧されて電池１４の長手方向すなわち図中Ｘ方向に変形する領域Ａ１と、電池１４の側周面１４ｂに押圧されて電池１４の半径方向すなわち図中Ｙ方向に変形する領域Ａ２とに分かれている。つまり、領域Ａにおいては、電池１４による押圧力がＸ方向とＹ方向とに適度に分散されることになる。
【００１５】
この電池保持作用を図４により具体的に説明する。図４は４箇所の電池保持部１２ｇでに囲まれた領域に電池１４を収納した状態を示し、図中、図１および図２と同一の構成要素には同一の符号を付して示してある。電池１４を収納しない状態では、電池１４の外径Ｅ１よりも、隣接する電池保持部１２ｇの間の距離Ｅ２の方が小さく、すなわち、隣接する電池保持部１２ｇ間は電池１４の外径よりも狭幅となっている。したがって、ここに電池１４を収納した際には、電池保持部１２ｇの領域Ａ２が電池１４の外径方向に変形し、その結果、電池１４が安定に保持される。
【００１６】
さらに、このＡ２領域がＹ方向に変形することにより、Ａ１領域がＸ方向に極端に変形して収納ケース１２の側面１２ｆのみに過度な押圧力が加えられることが防止される。その結果、側面１２ｆの開口部端部にこれと連続して一体に形成されている周縁接着部１２ｃが上記側面１２ｆの外方への変形に連動して移動し、台紙１３との接着箇所において台紙１３から浮き上がったりすることが有効に防止されるという効果がある。
【００１７】
つまり、電池保持部１２ｇの領域Ａ２の変形は、押圧力の分散と電池の保持という２つの機能を併せ持つことになる。
さらに、図２に示すように、この電池保持部１２ｇの端部と収納部１２の開口周縁部１２ｃとの間には補強部すなわちリブ１２が形成されていることが好ましい。このリブ１２ｈは具体的には、図２に斜線で示すように電池保持部１２ｇ端部の湾曲した縁部と収納部１２の側面１２ｆとにより囲繞された面に形成され、このリブ１２ｈにより電池１４を収納した際に、収納ケース１２の側面１２ｆが電池１４の長手方向に変形することを防止できる。
【００１８】
このリブ１２ｈが形成されていない場合には、図３に示すように、収納ケース１２の端面１２ｆの中央付近の領域Ｂの変形量が、端面１２ｆの両端部の領域Ｃの変形量に比べて大きくなる、収納ケース１２の側面１２ｆが中央付近で外方に湾曲して、その結果、電池の保持力が低下し、収納ケース１２内で電池の回転などが生じる場合がある。
【００１９】
上記のような電池収納パック１１により、電池１４を収納する場合には、まず、収納ケース１２の開口１２ａから電池１４を収納部１４に押し込む。図４に示すように、このとき、１個の電池１４に対し、その両端面１４ａがそれぞれ２箇所ずつ合計４箇所が電池保持部１２ｇに当接して、上述したような電池保持部１２ｇの領域Ａ２の変形により各電池１４が安定に保持される。
【００２０】
このようにして、全ての電池１４を収納ケース１２内に所定の向きとなるように嵌め込んだのち、収納ケース開口周縁の接着部１２を台紙１３の周縁部接着面に接着することにより、収納ケース１２の開口１２ｂを台紙１３により閉塞する。
本発明の電池収納パックは、このように複数個の電池１４を収納した場合に、電池の配置される位置によらず安定な保持力を実現できる。また、収納ケースの形状も従来のようないわゆるアンダーカット部分が形成されていないため、例えば熱成型時の離型性も良好で製造歩留まりも向上する。
【００２１】
【発明の効果】
以上説明したように、本発明の電池収納パックは単純な形状を有し、熱成型時の離型性が良好で製造が容易であり、しかも、電池の収納位置によらず安定な電池保持力を有するため、電池の収納、陳列、展示など各種の用途に非常に有用であり、その工業的価値は極めて大である。
【図面の簡単な説明】
【図１】本発明の電池収納パックの一実施形態を示す分解斜視図である。
【図２】図１の電池収納パックの収納ケースの収納部を説明するための概念的斜視図である。
【図３】電池保持部にリブが形成されていない場合の収納ケースの変形を説明するための概念図である。
【図４】図１の収納ケースに電池を収納した状態を示す概念図である。
【図５】従来の電池収納パックに電池を収納した状態を示す分解斜視図である。
【図６】図５のＶＩ−ＶＩ線に沿う断面図である。
【符号の説明】
１１　電池収納パック
１２　収納ケース
１２ａ　　収納部
１２ｂ　　開口
１２ｃ　　接着部
１２ｅ　　湾曲面
１２ｆ　　収納部側面
１２ｇ　　電池保持部
１２ｈ　　リブ（補強部）
１３　台紙
１４　電池
１４ａ　　電池端面
Ａ　変形領域
【図１】
2004103472.tif 000003
【図２】
2004103472.tif 000004
【図３】
2004103472.tif 000005
【図４】
2004103472.tif 000006
【図５】
2004103472.tif 000007
【図６】
2004103472.tif 000008